(57)【要約】【課題】  形材の中空部内に加熱発泡材を容易に設置できる建具の提供。【解決手段】  形材１ａ，１ｂと、加熱発泡材取付材２ａ，２ｂ，２ｃとを備え、加熱発泡材取付材２ａ，２ｂ，２ｃは、不燃性又は難燃性で弾力性を有し、形材１ａ，１ｂの中空部４ａ，４ｂ，４ｃ内に圧縮した状態で保持されており、何れかの面に加熱発泡材３ａ，３ｂ，３ｃを取付けてある。【選択図】      図１
2020007801.tif 000002
【特許請求の範囲】
【請求項１】
形材と、加熱発泡材取付材とを備え、加熱発泡材取付材は、不燃性又は難燃性で弾力性を有し、形材の中空部内に圧縮した状態で保持されており、何れかの面に加熱発泡材を取付けてあることを特徴とする建具。
【発明の詳細な説明】
【技術分野】
【０００１】
本発明は、防火性能を有する建具に関する。
【背景技術】
【０００２】
防火性能向上のため、従来より建具を構成する形材の中空部内に火災の熱で発泡・膨張する加熱発泡材を設けることが知られている。中空部内に加熱発泡材を設置するため、従来は図１３に示すように、中空部９０の形状に合わせた取付材９１を金属の曲げ材で製作し、これに加熱発泡材９２を貼り付けて中空部９０内にネジ９３で固定している。この方法では、中空部９０の形状毎に取付材９１を作成し、それを中空部９０内に配置してネジ９３で固定しなければならず、煩わしいものであった。
【発明の概要】
【発明が解決しようとする課題】
【０００３】
本発明は以上に述べた実情に鑑み、形材の中空部内に加熱発泡材を容易に設置できる建具の提供を目的とする。
【課題を解決するための手段】
【０００４】
上記の課題を達成するために請求項１記載の発明による建具は、形材と、加熱発泡材取付材とを備え、加熱発泡材取付材は、不燃性又は難燃性で弾力性を有し、形材の中空部内に圧縮した状態で保持されており、何れかの面に加熱発泡材を取付けてあることを特徴とする。
【発明の効果】
【０００５】
請求項１記載の発明による建具は、加熱発泡材取付材を不燃性又は難燃性で弾力性を有するものとし、その何れかの面に加熱発泡材を取付け、形材の中空部内に圧縮した状態で保持したので、ネジ止めや接着をすることなく、加熱発泡材取付材を形材の中空部内に押し込むだけで、加熱発泡材を容易に設置できる。
【図面の簡単な説明】
【０００６】
【図１】本発明の建具の一実施形態を示す縦断面図である。
【図２】同建具の横断面図である。
【図３】（ａ）は外障子の召合せ框と下框との接合部の横断面図であり、（ｂ）は同接合部の室内側正面図である。
【図４】（ａ）は外障子下框の上側中空部内に設置される加熱発泡材取付材及び加熱発泡材の室内側正面図であり、（ｂ）は同側面図である。
【図５】（ａ）は外障子下框の下側中空部内に設置される加熱発泡材取付材及び加熱発泡材の室内側正面図であり、（ｂ）は同側面図である。
【図６】下框（ガラス溝幅２９ｍｍ）の断面形状とその中空部に取付く加熱発泡材取付材及び加熱発泡材の形状を示す側面図である。
【図７】下框（ガラス溝幅２９ｍｍ）の中空部に加熱発泡材取付材及び加熱発泡材が取付いた状態を示す縦断面図である。
【図８】下框（ガラス溝幅３６ｍｍ）の断面形状とその中空部に取付く加熱発泡材取付材及び加熱発泡材の形状を示す側面図である。
【図９】下框（ガラス溝幅３６ｍｍ）の中空部に加熱発泡材取付材及び加熱発泡材が取付いた状態を示す縦断面図である。
【図１０】（ａ）は外障子及び内障子の召合せ框の横断面図であり、（ｂ）は同側面図である。
【図１１】（ａ）は外障子召合せ框の中空部内に設置される補強材及び加熱発泡材の平面図であり、（ｂ）は同補強材及び加熱発泡材の室内側正面図であり、（ｃ）は同補強材及び加熱発泡材の外周側側面図である。
【図１２】外障子召合せ框の中空部内に設置した加熱発泡材が火災時に発泡するときの様子を順に示す外周側側面図と斜視図である。
【図１３】従来の建具における下框の中空部への加熱発泡材の取付け方を示す図である。
【発明を実施するための形態】
【０００７】
以下、本発明の実施の形態を図面に基づいて説明する。図１〜３は、本発明に係る建具の一実施形態であって、ビル用の引違いサッシに適用した例を示している。本建具は、図１，２に示すように、躯体開口部に取付けられる枠９と、枠９内に引違い状に開閉自在に納めた外障子１０ａ及び内障子１０ｂを備える。
【０００８】
枠９は、図１，２に示すように、アルミニウム合金の押出形材よりなる上枠１１と下枠１２と左右の縦枠１３，１３とを枠組みして構成してある。
【０００９】
外障子１０ａと内障子１０ｂは、図１，２に示すように、アルミニウム合金の押出形材よりなる上框１４ａ，１４ｂと下框１ａ，１ｂと戸先框１５ａ，１５ｂと召合せ框５ａ，５ｂとを框組みし、その内側に複層ガラス１６を納めて構成してある。下框１ａ，１ｂと召合せ框５ａ，５ｂとは、図３に示すように、下框１ａ，１ｂの長手方向端部を召合せ框５ａ，５ｂのガラス溝１７内に呑み込ませた上で、下框１ａ，１ｂの長手方向の端面を召合せ框５ａ，５ｂの内周側面に突き当て、召合せ框５ａ，５ｂの外周側から挿入したネジ１８を下框１ａ，１ｂのタッピングホール１９（図１参照）に捩じ込むことで接合してある。下框１ａ，１ｂの長手方向の端面と召合せ框５ａ，５ｂの内周側面との間には、図示しないゴム製のシーラーが挟み込んで設けてある。
【００１０】
火災時には前記シーラーが火災の熱で溶融し、下框１ａ，１ｂと召合せ框５ａ，５ｂとの接合部にシーラーの厚み分の隙間が生じる。その隙間を塞ぐために本建具は、図１，３に示すように、下框１ａ，１ｂの長手方向端部の中空部４ａ，４ｂ，４ｃ内に、火災の熱で発泡・膨張する加熱発泡材３ａ，３ｂ，３ｃを設けている。
外障子１０ａの下框１ａは、図１，７に示すように、上下二箇所の中空部４ａ，４ｂを有し、各中空部４ａ，４ｂ内に、不燃性又は難燃性で弾力性を有する材料で形成したブロック状の加熱発泡材取付材２ａ，２ｂを圧縮した状態で保持し、この加熱発泡材取付材２ａ，２ｂの召合せ框５ａ，５ｂの内周側面に対向する側面に加熱発泡材３ａ，３ｂを貼り付けて設けてある。加熱発泡材取付材２ａ，２ｂは、具体的には難燃性で且つ自己消火性の材料であるクロロプレンゴムの発泡スポンジで形成してある。
上側の中空部４ａ内に設ける加熱発泡材取付材２ａは、図６に示すように、中空部４ａの形状に合わせて形成してあって、室外側に向けて突出する三角形状の突部２０を有し、上下寸法Ａは中空部４ａの内寸ａよりも約０．５ｍｍ大きく、左右寸法Ｂは中空部４ａの内寸ｂよりも約５ｍｍ大きくなっている。なお、この下框１ａのガラス溝幅Ｄは、２９ｍｍとなっている。この加熱発泡材取付材２ａを下框１ａの小口より中空部４ａ内に押し込むと、上下方向に約０．５ｍｍ、左右方向に約５ｍｍ圧縮されて中空部４ａ内に保持される（図７参照）。左右方向には主に突部２０の部分が圧縮される。
下側の中空部４ｂ内に設ける加熱発泡材取付材２ｂは、図６に示すように、中空部４ｂの形状に合わせて略長方形の断面に形成してあり、上下面にタッピングホール１９を逃がす溝２１が形成してあり、中央部に障子１０ａ，１０ｂの戸車の高さ調整を行う際に工具を挿通するための戸車調整孔２４が設けてある。また、上下寸法Ｃが中空部４ｂの内寸ｃより約０．５ｍｍ大きくなっている。この加熱発泡材取付材２ｂを下框１ａの小口より中空部４ｂ内に押し込むと、上下方向に約０．５ｍｍ圧縮されると共に、溝２１がタッピングホール１９に押されて変形することで、中空部４ｂ内に保持される（図７参照）。
加熱発泡材３ａ，３ｂは、加熱されることにより発泡して厚さ方向（取付面に対して垂直方向）に膨張するものであって、火災時に発泡して下框１ａと召合せ框５ａの接合部の隙間を塞ぐ。加熱発泡材３ａ，３ｂは、加熱発泡材取付材２ａ，２ｂを中空部４ａ，４ｂ内に押し込む前に、加熱発泡材取付材２ａ，２ｂの側面にあらかじめ貼り付けられる。
【００１１】
これまでに説明した図６，７の下框１ａは、ガラス溝幅Ｄが２９ｍｍのものであったが、図８，９は下框１ａのガラス溝幅Ｄが３６ｍｍの場合を示している。このガラス溝幅Ｄが３６ｍｍの下框１ａの中空部４ａ，４ｂ内に取付けられる加熱発泡材取付材２ａ，２ｂ及び加熱発泡材３ａ，３ｂは、ガラス溝幅Ｄが２９ｍｍの下框１ａの中空部４ａ，４ｂ内に取付けられる加熱発泡材取付材２ａ，２ｂ及び加熱発泡材３ａ，３ｂと同じものを兼用している。
【００１２】
図１に示すように、内障子１０ｂの下框１ｂは略矩形の中空部４ｃと直角三角形状の中空部４ｄが室内外方向に隣接して設けてあり、略矩形の中空部４ｃ内に加熱発泡材取付材２ｃ及び加熱発泡材３ｃを設けている。この加熱発泡材取付材２ｃ及び加熱発泡材３ｃは、外障子１０ａの下框１ｂの下側の中空部４ｂ内に設けたもの（２ｂ，３ｂ）と同じものを用いている。
【００１３】
これまで下框１ａ，１ｂと召合せ框５ａ，５ｂとの接合部について説明したが、下框１ａ，１ｂと戸先框１５ａ，１５ｂとの接合部にも召合せ框５ａ，５ｂ側と同様に加熱発泡材取付材２ａ，２ｂ，２ｃ及び加熱発泡材３ａ，３ｂ，３ｃが設けてある。
【００１４】
召合せ框５ａ，５ｂは、図２と図１０（ａ）に示すように矩形断面の中空部６を有しており、中空部６の内周側及び外周側の見込壁２２ａ，２２ｂには、図１０（ｂ）に示すように、下框１ａ，１ｂと連結するネジ１８を挿通するためのネジ挿通孔２３，２３と、障子１０ａ，１０ｂの戸車の高さ調整を行うときに工具を挿通するための戸車調整孔２４とが設けてある。
中空部６内には、図１０に示すように、ステンレス等の金属板を折り曲げて形成した補強材２５を配置し、ネジ２６で固定してある。補強材２５は、図１１に示すように、一対の見込壁２７ａ，２７ｂと見付壁２８とを有する断面コ字形となっている。内周側の見込壁２７ａには、召合せ框５ａ，５ｂの見込壁２２ａ，２２ｂと同様にネジ挿通孔２３，２３と戸車調整孔２４が設けてあり、外周側の見込壁２７ｂはネジ挿通孔２３，２３及び戸車調整孔２４と対向する下部が切り欠かれている。見付壁２８には、外周側見込壁２７ｂの切欠きより少し高い位置から下端にわたり、長手方向に沿って加熱発泡材７（長手方向発泡材、早く発泡するものに相当）が貼り付けてある。この加熱発泡材７の上方位置には、クロロプレンゴムの発泡スポンジで形成したブロック状の加熱発泡材取付材２９が圧縮した状態で補強材２５に保持してあり、この加熱発泡材取付材２９の下面に加熱発泡材８（見込方向発泡材、遅く発泡するものに相当）が二枚重ねて貼り付けてある。加熱発泡材取付材２９に取付けた加熱発泡材８は、補強材２５の見付壁２８に取付けた加熱発泡材７と近接して設けてある。
【００１５】
図１２は、火災時に上記した召合せ框５ａ，５ｂの中空部６内に設けた加熱発泡材７，８が発泡する様子を示している。火災が発生すると、召合せ框５ａ，５ｂから補強材２５に熱が伝わり、補強材２５の見付壁２８に設けた加熱発泡材（長手方向発泡材）７に補強材２５から直接熱が伝わるため、図１２（ｂ）に示すように、この加熱発泡材７が室内外方向に向けて先に発泡する。その後、加熱発泡材取付材２９の下面に取付けた加熱発泡材（見込方向発泡材）８に補強材２５から間接的に熱が伝わることで、図１２（ｃ）に示すように、同加熱発泡材８が下向きに発泡し、先に発泡した長手方向発泡材７を上方から圧縮する。このように、互いに交差する方向に発泡する加熱発泡材７，８同士が圧縮し合うことで、加熱発泡材７，８を中空部６内で密に発泡させることができる。特に、長手方向発泡材７が先に発泡し、見込方向発泡材８が後から発泡して長手方向発泡材７を圧縮することで、互いの加熱発泡材７，８の発泡が阻害されず、中空部６内で偏りなく密に発泡させることができる。これにより、塞ぎたい孔（ネジ挿通孔２３，２３、戸車調整孔２４）に対向して加熱発泡材を設置できない場合でも、それらの孔を発泡した加熱発泡材７，８で確実に塞ぐことができる。
【００１６】
以上に述べたように本建具は、加熱発泡材取付材２ａ，２ｂ，２ｃを不燃性又は難燃性で弾力性を有するものとし、その何れかの面に加熱発泡材３ａ，３ｂ，３ｃを取付け、形材（下框１ａ，１ｂ）の中空部４ａ，４ｂ，４ｃ内に圧縮した状態で保持したので、ネジ止めや接着をすることなく、加熱発泡材取付材２ａ，２ｂ，２ｃを形材１ａ，１ｂの中空部４ａ，４ｂ，４ｃ内に押し込むだけで、加熱発泡材３ａ，３ｂ，３ｃを容易に設置できる。また、加熱発泡材取付材２ａ，２ｂ，２ｃを大き目に形成しておくことで、中空部４ａ，４ｂ，４ｃの形状が多少異なっても同じ加熱発泡材取付材２ａ，２ｂ，２ｃを兼用することができる。加熱発泡材取付材２ａ，２ｂ，２ｃを自己消火性を有するものとすれば、加熱発泡材取付材２ａ，２ｂ，２ｃに火がついてもすぐに消え、燃え広がることがない。
【００１７】
また本建具は、形材（召合せ框５ａ，５ｂ）と、形材５ａ，５ｂの中空部６内に設けた加熱発泡材７，８とを備え、加熱発泡材７，８は、中空部６の長手方向に沿って設けた長手方向発泡材７と、中空部６の長手方向に交差して設けた見込方向発泡材８とを有し、見込方向発泡材８は、長手方向発泡材７と近接して設けてあり、発泡したときに長手方向発泡材７又は見込方向発泡材８の一方が他方を圧縮することで、火災時に加熱発泡材７，８を密に発泡させられる。
また本建具は、形材（召合せ框５ａ，５ｂ）と、形材５ａ，５ｂの中空部６内に設けた加熱発泡材７，８とを備え、加熱発泡材７，８は、被塞ぎ部（ネジ挿通孔２３、戸車調整孔２４）を塞ぐものであって、早く発泡するものと、それよりも遅く発泡するものとを有し、遅く発泡する加熱発泡材８が早く発泡する発泡材７を圧縮するため、加熱発泡材７，８を密に発泡させられ、発泡した加熱発泡材７，８で被塞ぎ部２３，２４を確実に塞ぐことができる。
【００１８】
本発明は以上に述べた実施形態に限定されない。形材は、枠、框、方立、無目等、建具のあらゆる部材が含まれる。加熱発泡材は、部材同士の隙間、部材に形成された孔や切欠き等、火災時に火炎や煙が連通するおそれのあるあらゆる空隙等を塞ぐために設けることができ、その配置は塞ごうとする空隙等に合わせて適宜変更することができる。加熱発泡材取付材は、不燃性又は難燃性で弾力性を有するものであればよく、具体的な材質は問わない。本発明は引違いサッシに限らず、障子がすべり出し又は回転して開くサッシ、嵌め殺しサッシ、玄関ドア等、あらゆる建具に適用することができる。
【符号の説明】
【００１９】
１ａ，１ｂ  下框（形材）
２ａ，２ｂ，２ｃ  加熱発泡材取付材
３ａ，３ｂ，３ｃ  加熱発泡材
４ａ，４ｂ，４ｃ  中空部
５ａ，５ｂ  召合せ框（形材）
６  中空部
７  長手方向発泡材（加熱発泡材、早く発泡するもの）
８  見込方向発泡材（加熱発泡材、遅く発泡するもの）
【図１】
2020007801.tif 000003
【図２】
2020007801.tif 000004
【図３】
2020007801.tif 000005
【図４】
2020007801.tif 000006
【図５】
2020007801.tif 000007
【図６】
2020007801.tif 000008
【図７】
2020007801.tif 000009
【図８】
2020007801.tif 000010
【図９】
2020007801.tif 000011
【図１０】
2020007801.tif 000012
【図１１】
2020007801.tif 000013
【図１２】
2020007801.tif 000014
【図１３】
2020007801.tif 000015